(57)【要約】【課題】コイルとステータとの間の絶縁性を向上させる。【解決手段】本発明のモータは、コイル６２と、磁性材料により形成された芯材６１ｃを含むステータ６１と、ステータ６１によってコイル６２と所定の距離を空けて配置され、コイル６２に通電することで回転する回転子６３とを有する。とくに、所定の形状を呈した１枚のフィルムからなる絶縁フィルム６０が、コイル６２とコイル６２に挿入された芯材６１ｃとの間に設けられ、かつ、コイル６２の表面であってステータ６１と対向する面に折り曲げて巻き付けられる。【選択図】図４
2009268260.tif 000002
【特許請求の範囲】
【請求項１】
コイル（６２）と、
磁性材料により形成された芯材（６１ｃ）を含むステータ（６１）と、
該ステータ(６１)によって前記コイル（６２）と所定の距離を空けて配置され、前記コイル（６２）に通電することで回転する回転子（６３）とを有するモータであって、
所定の形状を呈した１枚のフィルムからなる絶縁フィルム(６０)が、前記コイル（６２）と該コイル（６２）に挿入された前記芯材（６１ｃ）との間に設けられ、かつ、前記コイル(６２)の表面であって前記ステータ（６１）と対向する面に折り曲げて巻き付けられることを特徴とするモータ。
【請求項２】
前記絶縁フィルム（６０）は、前記芯材（６１ｃ）の周面に巻き付けられる第１の巻き付け部（Ｗ１）と、前記コイル（６２）の表面であって、前記ステータ（６１）と対向する面に巻き付けられる第２の巻き付け部（Ｗ２）とを含み、平面視で、前記第１の巻き付け部（Ｗ１）と前記第２の巻き付け部（Ｗ２）とが直交するような形状を呈している請求項１記載のモータ。
【請求項３】
前記ステータ（６１）が、ステータ本体（６１ａ）を含み、該ステータ本体（６１ａ）によって、前記コイル（６２）に前記芯材（６１ｃ）が挿入された状態で前記芯材（６１ｃ）の両端部が支持され、前記芯材（６１ｃ）は、前記ステータ本体（６１ａ）に対して分離可能に設けられる請求項１または２記載のモータ。
【請求項４】
前記絶縁フィルム（６０）の厚さが、前記コイル（６２）のボビン（６２ａ１）の厚さの２倍以上である請求項１〜３のいずれか１項に記載のモータ。
【請求項５】
請求項１〜４のいずれか１項に記載のモータ（Ｍ）と、
該モータ（Ｍ）の駆動力を受けて駆動するポンプ本体（６５）とを備えたドレンポンプ。
【請求項６】
ドレンパン（５）と、
該ドレンパン（５）内に溜まった水を排水する請求項５記載のドレンポンプ（６）とを備えた空気調和装置の室内機。
【請求項７】
請求項６記載の室内機（１００）を備えた空気調和装置。
【発明の詳細な説明】
【技術分野】
【０００１】
本発明は、モータ、該モータを備えたドレンポンプ、該ドレンポンプを備えた空気調和装置の室内機および該室内機を備えた空気調和装置に関する。
【背景技術】
【０００２】
従来、室内の温度や風量を調整することで、室内を快適な状態に維持する空気調和装置が用いられている。空気調和装置は、主に、屋内に設置される室内機、および、室内機に連絡され、屋外に設置される室外機を備えている。
【０００３】
とくに、冷房運転時には、室内機の内部で、結露水が発生する。この結露水は、室内機の内部に取り込まれた空気を熱交換器で熱交換する際に、空気中の水蒸気が熱交換器の表面で凝結したものである。そして、室内機には、結露水を熱交換器の下方で受けるドレンパンと、ドレンパン内に溜まった水をドレン管へ送水し、屋外へ排水するドレンポンプとが設けられている（特許文献１参照）。
【０００４】
ドレンポンプは、主に、電動式のモータと、モータによって駆動されるポンプ本体とを備えている。この電動式のモータは、コイルおよび回転子が、コイルに挿入される芯材を含むステータを介して、それぞれ所定の位置に配置されたものであり、コイルに通電することで、回転子を回転させている。
【特許文献１】特開２００１−１２４３６５号公報
【発明の開示】
【発明が解決しようとする課題】
【０００５】
上記従来の技術では、コイルに流れる電流が絶縁破壊などのなんらかの原因で漏れ出す漏電が危惧される。そのため、ドレンポンプに対して現状より高い絶縁性が要求されつつある。
【０００６】
本発明は、上記従来の問題に鑑みてなされたものであり、コイルとステータとの間の絶縁性を向上させるモータ、該モータを備えたドレンポンプ、該ドレンポンプを備えた空気調和装置の室内機および該室内機を備えた空気調和装置を提供することを目的としている。
【課題を解決するための手段】
【０００７】
本発明のモータは、コイル（６２）と、磁性材料により形成された芯材（６１ｃ）を含むステータ（６１）と、該ステータ(６１)によって前記コイル（６２）と所定の距離を空けて配置され、前記コイル（６２）に通電することで回転する回転子（６３）とを有するモータであって、所定の形状を呈した１枚のフィルムからなる絶縁フィルム(６０)が、前記コイル（６２）と該コイル（６２）に挿入された前記芯材（６１ｃ）との間に設けられ、かつ、前記コイル(６２)の表面であって前記ステータ（６１）と対向する面に折り曲げて巻き付けられることを特徴とする。
【０００８】
この発明によれば、所定の形状を呈した１枚のフィルムからなる絶縁フィルム（６０）が折り曲げられて所定の箇所に巻き付けられる。つまり、コイル(６２)に流れる電流が漏れ出した場合に導体となり得る芯材（６１ｃ）の周面とコイル（６２）の中空部内周面との間に絶縁フィルム（６０）が挟み込まれ、さらに、コイル（６２）の表面であって、ステータ（６１）と対向する面に絶縁フィルム（６０）が巻き付けられる。したがって、コイル（６２）の構造や芯材（６１ｃ）の構造に大きな変更を加えなくても、コイル（６２）と芯材（６１ｃ）との間の絶縁性およびコイル（６２）の表面とステータ（６１）との間の絶縁性を向上させることができる。また、絶縁フィルム（６０）として、所定の形状を呈した１枚のフィルムを用いているので、絶縁フィルム（６０）の管理や、巻き付け作業が容易である。
【０００９】
また、前記絶縁フィルム（６０）は、前記芯材（６１ｃ）の周面に巻き付けられる第１の巻き付け部（Ｗ１）と、前記コイル（６２）の表面であって、前記ステータ（６１）と対向する面に巻き付けられる第２の巻き付け部（Ｗ２）とを含み、平面視で、前記第２の巻き付け部（Ｗ２）と前記第１の巻き付け部（Ｗ１）とが直交するような形状を呈していることが好ましい。
【００１０】
この発明によれば、平面視で、絶縁フィルム（６０）が、その第１の巻き付け部（Ｗ１）と第２の巻き付け部（Ｗ２）とが直交するような形状を呈しているので、巻き付け方向が異なる部分を１枚の絶縁フィルム（６０）で絶縁することができる。
【００１１】
また、前記ステータ（６１）が、ステータ本体（６１ａ）を含み、該ステータ本体（６１ａ）によって、前記コイル（６２）に前記芯材（６１ｃ）が挿入された状態で前記芯材（６１ｃ）の両端部が支持され、前記芯材（６１ｃ）は、前記ステータ本体（６１ａ）に対して分離可能に設けられることが好ましい。
【００１２】
この発明によれば、芯材（６１ｃ）が、ステータ本体（６１ａ）に対して分離可能に設けられるので、コイル（６２）の導線をステータ（６１）の一部に巻き付ける作業を、ステータ本体（６１ａ）から離れたところで行うことができ、モータの組み立て作業が容易になる。
【００１３】
また、前記絶縁フィルム（６０）の厚さが、前記コイル（６２）のボビン（６２ａ１）の厚さの２倍以上であることが好ましい。
【００１４】
この発明によれば、絶縁フィルム（６０）の厚さを、コイル（６２）の（ボビン６２ａ１）の厚さの２倍以上にすることで、絶縁性を従来の２倍以上にすることもできる。
【００１５】
本発明のドレンポンプ（６）は、上記のモータ（Ｍ）と、該モータ（Ｍ）の駆動力を受けて駆動するポンプ本体（６５）とを備えている。
【００１６】
この発明によれば、上記のモータ（Ｍ）をドレンポンプ(６)に備えることで、ドレン水に電流が漏れ出すのを防ぐことができる。
【００１７】
本発明の空気調和装置の室内機（１００）は、ドレンパン（５）と、該ドレンパン（５）内に溜まった水を排水する上記のドレンポンプ（６）とを備えている。
【００１８】
本発明の空気調和装置は、上記の室内機（１００）を備えている。
【発明の効果】
【００１９】
本発明によれば、コイルとステータとの間の絶縁性を向上させることができる。
【発明を実施するための最良の形態】
【００２０】
以下で、本実施の形態のモータ、ドレンポンプ、空気調和装置の室内機および空気調和装置について、図面を用いて詳細に説明する。
【００２１】
実施の形態１の空気調和装置は、主に、屋内に設置される室内機と、屋外に設置される室外機とを備えている。室内機と室外機は、熱媒体である冷媒が流通する冷媒配管によって、互いに接続されている。
【００２２】
図１は、空気調和装置の室内機１００を概略的に説明するための断面図である。室内機１００は、図１に示されるように、天井ｃに形成された開口に嵌め込まれるタイプのケーシング２と、ケーシング２の内部で空気の流れを作り出す送風機４と、送風機４によってケーシング２の外部から取り込まれた空気に対して熱交換を行う熱交換器３と、熱交換器３で生じた結露水を熱交換器３の下方で受けるための、浅い皿状を呈したドレンパン５と、ドレンパン５内に溜まった結露水をドレン水としてドレン管６６へ送水するためのドレンポンプ６とを備えている。ケーシング２の底面（すなわち、天井ｃに接している部分）には、ケーシング２内に室内の空気を取り込むための吸い込み口２ａと、冷媒との間で熱交換がされた空気をケーシング２内から室内へ排出するための吹き出し口２ｂとが形成され、吸い込み口２ａを覆うように、吸込グリル２０が取り付けられている。
【００２３】
室内機１００の送風機４が駆動すると、室内の空気が、吸い込み口２ａからケーシング２内へ吸い込まれ、熱交換器３を経て吹き出し口２ｂへ向かうような空気の流れが作り出される。
【００２４】
図２は、ドレンポンプ６を説明するための斜視図である。図３は、ドレンポンプ６の平面図である。図４は、図３のＩＶ−ＩＶ位置におけるドレンポンプ６の断面の一部を示す図である。図５は、図３のＶ−Ｖ位置におけるドレンポンプ６の断面の一部を示す図である。
【００２５】
ドレンポンプ６は、ドレンパン５内に溜まった水を汲み上げ、ドレン管６６へ向けて送水する。ドレンポンプ６は、図２に示されるように、モータＭと、モータＭの駆動力を受けて回転し、動力を伝達するシャフト６４と、シャフト６４の一端に設けられ、シャフト６４の回転を受けて駆動するポンプ本体６５とを含む。本実施の形態では、ポンプ本体６５として遠心ポンプを用いている。
【００２６】
モータＭは、コイル６２と、回転子６３と、ステータ６１と、絶縁フィルム６０とを含む。図３に示されるように、コイル６２と回転子６３とは、ステータ６１によって、互いに所定の距離を空けて、所定の位置関係になるように配置されている。
【００２７】
コイル６２は、図４および図５に示されるように、１対の対向する面を貫くような中空部６２ａが形成された略直方体状を呈している。コイル６２は、合成樹脂製のボビン６２ａ１と、導線６２ａ２と、充填材６２ａ３とを含む。ボビン６２ａ１は、横断面が略矩形状を呈し、導線６２ａ２を巻き付ける筒部ｂｏ１と、筒部ｂｏ１の両端部に鍔状に形成された１対の突出片部ｂｏ２とから構成されている。充填材６２ａ３は、合成樹脂などの絶縁性を有する材料であり、本実施の形態では、エポキシ樹脂を用いている。充填材６２ａ３は、ボビン６２ａ１の筒部ｂｏ１の外側周面に導線６２ａ２が巻き付けられた後、導線６２ａ２を覆うように突出片部ｂｏ２の先端部分とほぼ同じ高さになる程度に充填される（図５参照）。ボビン６２ａ１の肉厚は、約１ｍｍ程度である。従来のコイルでは、その絶縁性が、ボビンの肉厚や充填材６２ａ３の層厚によって定められていたが、本実施の形態では、絶縁性を向上させるために、絶縁フィルム６０でコイル６２の特定の箇所を被覆するので、ボビンに対してボビンの肉厚をさらに厚くするような設計変更を必要としない。
【００２８】
コイル６２にはその一部に、略直方体状の介装部６２ｂがある。介装部６２ｂは、コイル６２がステータ６１に組み込まれたときに、後述のステータ６１のステータ本体６１ａと芯材６１ｃとによって介装される部分である。
【００２９】
回転子６３は、略円柱状を呈し、コイル６２に対して所定の位置になるように配置されている。回転子６３には、複数の永久磁石が、Ｓ極とＮ極が回転子６３の周面側に交互に表れるように、周方向に沿って配設されている。シャフト６４は、この回転子６３の回転中心部分に、回転子６３と一体に設けられている。このため、シャフト６４は回転子６３とともに回転し、その動力をポンプ本体６５に伝達する。
【００３０】
ステータ６１は、磁性材料により形成されたステータ本体６１ａと、磁性材料により形成された芯材６１ｃとを含む。本実施の形態では、ステータ６１の材質として鉄を用いている。
【００３１】
ステータ本体６１ａは、ドレンポンプ６全体を、ケーシング２内の所定の位置に支持するものである。ステータ本体６１ａには、回転子６３を回動可能に保持するための貫通孔６１ａ２が形成されている（図１４、図１５参照）。また、ステータ本体６１ａには、コイル６２を固定し、かつ、芯材６１ｃの両端部を支持するためのコイル固定部６１ａ１が凹状に形成されている（図１４参照）。コイル固定部６１ａ１には、芯材６１ｃによってステータ本体６１ａに支持されたコイル６２の介装部６２ｂを収納する、介装部６２ｂの表面形状に応じた空間が形成されている。すなわち、コイル６２の介装部６２ｂは略直方体状を呈しているので、コイル固定部６１ａ１には、ステータ本体６１ａの上面に対して垂直な面が形成される。具体的には、コイル固定部６１ａ２における、ステータ本体６１ａの上面に対して垂直な面は、コイル６２がコイル固定部６１ａ１に装着されると、コイル６２の突出片部ｂｏ２およびコイル６２の充填材６２ａ３に対向する。
【００３２】
芯材６１ｃは、略四角柱状を呈し、芯材前面６１ｃ１、芯材上面６１ｃ２、芯材背面６１ｃ３、芯材底面６１ｃ４を有する（図８参照）。芯材前面６１ｃ１、芯材上面６１ｃ２、芯材背面６１ｃ３、芯材底面６１ｃ４は、いずれも平面であり、芯材前面６１ｃ１および芯材背面６１ｃ３が平行であり、芯材上面６１ｃ２および芯材底面６１ｃ４が平行である。また、芯材６１ｃの両端には芯材端部６１ｃ５、６１ｃ６が形成されている。各芯材端部６１ｃ５、６１ｃ６は、平面視で略Ｔ字状を呈している。芯材端部６１ｃ５、６１ｃ６は、芯材６１ｃがステータ本体６１ａに組み込まれると、ステータ本体６１ａと係合する。芯材６１ｃは、モータＭの組み立て時に、コイル６２の中空部６２ａに挿入された状態で、ステータ本体６１ａに形成されたコイル固定部６１ａ１に組み込まれる。そして、コイル６２に電流が供給されると、芯材６１ｃ、ステータ本体６１ａおよびコイル６２で電磁石として機能する。
【００３３】
図６は、絶縁フィルム６０の展開図である。絶縁フィルム６０は、図６に示されるように、略逆Ｔ字状を呈した１枚のフィルムであり、コイル６２とコイル６２に挿入された芯材６１ｃとの間を絶縁するとともに、ステータ本体６１ａとコイル６２との間を絶縁する。具体的には、絶縁フィルム６０は、芯材６１ｃの周面に巻き付けられる第１の巻き付け部Ｗ１と、コイル６２の表面であって、ステータ本体６１ａと対向する面に巻き付けられる第２の巻き付け部Ｗ２とを含む。第１の巻き付け部Ｗ１および第２の巻き付け部Ｗ２は、平面視で、互いに直交するような形状を呈している。すなわち、第１の巻き付け部Ｗ１は、前面部６０ａ、前面部６０ａの上側に隣接する上面部６０ｂ、上面部６０ｂの上側に隣接する背面部６０ｃおよび背面部６０ｃの上側に隣接する底面部６０ｄから構成されている。また、第２の巻き付け部Ｗ２は、図６において、第１の巻き付け部Ｗ１の前面部６０ａの左側に隣接する第１側面部６０ｅ、第１の巻き付け部Ｗ１の前面部６０ａの右側に隣接する第２側面部６０ｆおよび第２側面部６０ｆの右側に隣接する巻装部６０ｇから構成されている。前面部６０ａ、上面部６０ｂ、背面部６０ｃ、底面部６０ｄ、第１側面部６０ｅ、第２側面部６０ｆ、巻装部６０ｇは、いずれも、矩形状を呈している。また、絶縁フィルム６０には、組み立て作業時に、作業者に対して絶縁フィルム６０の折り曲げ位置を示すための折り曲げ線Ｌ１、Ｌ２、Ｌ３、Ｌ４、Ｌ５が、各部分の境界位置に表示されている。
【００３４】
そして、第１の巻き付け部Ｗ１が芯材６１ｃの周面に巻き付けられると、第１の巻き付け部Ｗ１の前面部６０ａは芯材６１ｃの芯材前面６１ｃ１に、第１の巻き付け部Ｗ１の上面部６０ｂは芯材６１ｃの芯材上面６１ｃ２に、第１の巻き付け部Ｗ１の背面部６０ｃは芯材６１ｃの芯材背面６１ｃ３に、第１の巻き付け部Ｗ１の底面部６０ｄは芯材６１ｃの芯材底面６１ｃ４に対応する。したがって、第１の巻き付け部Ｗ１が芯材６１ｂの周面に巻き付けられると、第１の巻き付け部Ｗ１の前面部６０ａの辺Ａと、第１の巻き付け部Ｗ１の底面部６０ｄの辺Ａ’は、重なり合う。
【００３５】
また、第２の巻き付け部Ｗ２がコイル６２に巻き付けられると、第２の巻き付け部Ｗ２の第１側面部６０ｅおよび第２側面部６０ｆは、それぞれ、コイル６２のボビン６２ａ１の突出片部ｂｏ２の表面に、第２の巻き付け部Ｗ２の巻装部６０ｇは、コイル６２の充填材６２ａ３の表面に対応する。したがって、第２の巻き付け部Ｗ２がコイル６２に巻き付けられると、第２の巻き付け部Ｗ２の第１側面部６０ｅの辺Ｂ’と、第２の巻き付け部Ｗ２の巻装部６０ｇの辺Ｂは、重なり合う。
【００３６】
絶縁フィルム６０の厚さは、ボビン６２ａ１の肉厚の２倍以上であることが好ましい。絶縁フィルム６０の厚さが、極端に薄い場合には、絶縁フィルムの巻き付けや折り曲げ作業時にフィルムが破損する傾向がある。また、絶縁フィルム６０の厚さが、極端に厚い場合には、絶縁フィルムの巻き付けや折り曲げ、芯材６１ｃに絶縁フィルム６０を巻き付けた状態での中空部６２ａへの挿入が困難になる傾向がある。
【００３７】
絶縁フィルム６０の素材は、とくに限定されない。たとえば、ポリプロピレン、ポリエチレン、ポリ塩化ビニル、ポリスチレン、ポリ酢酸ビニル、ポリテトラフルオロエチレン、ＡＢＳ樹脂、ＡＳ樹脂、アクリル樹脂などを用いることができる。本実施の形態では、絶縁フィルム６０の素材として、ポリプロピレンを用いている。
【００３８】
図４に示されるように、絶縁フィルム６０がコイル６２とステータ６１との間に挟み込まれると、導線６２ａ２とステータ６１との間には、充填材６２ａ３に加えて絶縁フィルム６０、あるいは、ボビン６２ａ１に加えて絶縁フィルム６０が存在することになる。すなわち、ステータ６１と導線６２ａ２との間が、コイル６２を構成する絶縁物と挟み込まれた絶縁フィルム６０とによって、２重に絶縁される。具体的には、芯材６１ｃの周面とコイル６２の導線６２ａ２との間には、コイル６２のボビン６２ａ１の筒部ｂｏ１および絶縁フィルム６０の第１の巻き付け部Ｗ１が介在している。また、ステータ本体６１ａとコイル６２の導線６２ａ２との間には、コイル６２の充填材６２ａ３および絶縁フィルム６０の第２の巻き付け部Ｗ２が介在している。
【００３９】
このようなモータＭの動作について説明する。コイル６２に所定の電流が供給されると、コイル６２、コイル６２に挿入された芯材６１ｃおよびステータ本体６１ａが電磁石として機能し、コイル６２に対して所定の位置に配置された回転子６３が回転を始める。これにより、回転子６３に一体に取り付けられたシャフト６４が、シャフト６４の軸心を回転の中心として回転し、シャフト６４の端部に取り付けられたポンプ本体６５に動力を伝達する。
【００４０】
つぎに、このドレンポンプ６の組み立て方法について、詳細に説明する。図７〜図１３は、絶縁フィルム６０の巻き付け方法を説明するための図である。
【００４１】
まず、作業者は、コイル６２の中空部６２ａ内に、芯材６１ｃを挿入する。このとき、芯材６１ｃの周面に、予め絶縁フィルム６０の第１の巻き付け部Ｗ１を巻き付けておく。
【００４２】
図７は、絶縁フィルム６０を折り曲げる前の状態の斜視図である。具体的には、作業者が、第１の巻き付け部Ｗ１の前面部６０ａと上面部６０ｂとの境界を示す折り曲げ線Ｌ１、上面部６０ｂと背面部６０ｃとの境界を示す折り曲げ線Ｌ２、背面部６０ｃと底面部６０ｄとの境界を示す折り曲げ線Ｌ３をそれぞれ折り曲げる。図８は、芯材６１ｃの周面を一周するように第１の巻き付け部Ｗ１を折り曲げた状態の斜視図である。作業者は、絶縁フィルム６０の第１の巻き付け部Ｗ１を、図８のように折り曲げて、ステータ本体６１ａから分離された芯材６１ｃを、略環状に折り曲げられた第１の巻き付け部Ｗ１内に挿入する。図９は、折り曲げた絶縁フィルム６０に芯材６１ｃを挿入した状態の斜視図である。
【００４３】
つぎに、作業者は、第１の巻き付け部Ｗ１が周面に巻き付けられた芯材６１ｃをコイル６２の中空部６２ａに挿入する。このとき、作業者は、絶縁フィルム６０の前面部６０ａがコイル６２の介装部６２ｂと対向するように、芯材６１ｃを中空部６２ａに挿入する。これにより、絶縁フィルム６０の前面部６０ａは、介装部６２ｂと芯材６１ｃとの間に位置することになる。図１０は、絶縁フィルム６０が巻き付けられた芯材６１ｃをコイル６２の中空部６２ａに挿入する状態の斜視図である。図１０に示されるように、第２の巻き付け部Ｗ２は未だ折り曲げられていないので、作業者は、芯材６１ｃをスムーズに中空部６２ａ内へ挿入することができる。図１１は、絶縁フィルム６０が巻き付けられた芯材６１ｃをコイル６２の中空部６２ａに装着した状態の斜視図である。図１１に示されるように、絶縁フィルム６０が巻き付けられた芯材６１ｃがコイル６２の中空部６２ａに挿入されると、芯材６１ｃの両端部はコイル６２の中空部６２ａから突出する。そして、芯材６１ｃに巻き付けられた絶縁フィルム６０のうち、第２の巻き付け部Ｗ２もまた、コイル６２の中空部６２ａから突出している。
【００４４】
つぎに、作業者は、コイル６２の中空部６２ａから突出した絶縁フィルム６０、すなわち、第２の巻き付け部Ｗ２をコイル６２の外側、つまり介装部６２ｂに巻き付ける。図１２は、絶縁フィルム６０が巻き付けられた芯材６１ｃをコイル６２の中空部６２ａに装着した状態で、コイル６２の表面に第２の巻き付け部Ｗ２を巻き付ける状態の斜視図である。作業者は、図１２に示されるように、第２の巻き付け部Ｗ２の第１側面部６０ｅおよび第２の巻き付け部Ｗ２の第２側面部６０ｆを、ボビン６２ａ１の突出片部ｂｏ２に接するように折り曲げる。具体的には、作業者は、それぞれが突出片部ｂｏ２に接するように、第１側面部６０ｅを折り曲げ線Ｌ４に沿って折り曲げ、第２側面部６０ｆを折り曲げ線Ｌ５に沿って折り曲げる。作業者は、第１側面部６０ｅおよび第２側面部６０ｆを、それぞれ折り曲げ線Ｌ４および折り曲げ線Ｌ５に沿って折り曲げる際に、前面部６０ａに対して上面部６０ｂを折り曲げ線Ｌ１に沿って折り曲げた方向と逆の向きに折り曲げる。
【００４５】
さらに、作業者は、図１２の状態から、第２の巻き付け部Ｗ２の巻装部６０ｇがコイル６２の充填材６２ａ３に接するように、第２の巻き付け部Ｗ２の巻装部６０ｇを折り曲げ線Ｌ６に沿って折り曲げる（図１３参照）。このように、第１の巻き付け部Ｗ１、第２の巻き付け部Ｗ２が所定の形状に折り曲げられると、それぞれ、横断面が四角い筒状体になる。そして、第１の巻き付け部Ｗ１によって得られた筒状体の軸心方向と、第２の巻き付け部Ｗ２によって得られた筒状体の軸心方向とは直交する。つまり、絶縁フィルム６０の第１の巻き付け部Ｗ１および第２の巻き付け部Ｗ２は、前面部６０ａを挟んで、互いに巻き付け対象および巻き付け方向が異なる部分へ巻き付けられる。
【００４６】
つぎに、作業者は、ステータ本体６１ａに、芯材６１ｃが内部に挿入され、かつ、絶縁フィルム６０が巻き付けられたコイル６２を装着する。図１４は、絶縁フィルム６０が巻き付けられたコイル６２および芯材６１ｃを、ステータ本体６１ａに装着する状態を説明する図である。図１４に示されるように、作業者は、ステータ本体６１ａに形成されたコイル固定部６１ａ１に、コイル６２、芯材６１ｃおよび絶縁フィルム６０を、第２の巻き付け部Ｗ２が巻き付けられた側をステータ本体６１ａに向けて組み入れる（図１５参照）。
【００４７】
最後に、作業者は、ステータ本体６１ａに形成された貫通孔６１ａ２に回転子６３、回転子６３に固定されたシャフト６４およびシャフト６４に固定されたポンプ本体６５を挿入し、貫通孔６１ａ２内で回転子６３が回転可能に組み入れる。
【００４８】
以上の実施の形態によれば、絶縁フィルム６０が、コイル６２と芯材６１ｃとの間を絶縁するように設けられている。つまり、コイル６２に流れる電流が漏れ出した場合に導体となり得る芯材６１ｃの周面と、コイル６２の中空部６２ａの内周面との間に絶縁フィルム６０が挟み込まれる。したがって、コイル６２の構造や芯材６１ｃの構造に大きな変更を加えなくても、コイル６２と芯材６１ｃとの間の絶縁性を向上させることができる。
【００４９】
また、絶縁フィルム６０が、ステータ本体６１ａとコイル６２との間を絶縁するように、コイル６２の表面であって、ステータ本体６１ａと対向する面に巻き付けられているので、コイル６２とステータ本体６１ａとの間の絶縁性をも向上させることができる。
【００５０】
また、絶縁フィルム６０として、所定の形状を呈した１枚のフィルムを用いているので、絶縁フィルム６０の管理や、巻き付け作業が容易である。
【００５１】
また、平面視で、絶縁フィルム６０が、その第１の巻き付け部Ｗ１と第２の巻き付け部Ｗ２とが直交するような形状を呈しているので、巻き付け方向が異なる部分を１枚の絶縁フィルム６０で絶縁することができる。
【００５２】
また、芯材６１ｃが、ステータ本体６１ａに対して分離可能に設けられるので、コイル６２の導線をステータ６１の一部に巻き付ける作業を、ステータ本体６１ａから離れたところで行うことができ、モータの組み立て作業が容易になる。
【００５３】
また、絶縁フィルム６０の厚さを、コイル６２のボビン６２ａ１の厚さの２倍以上にすることで、絶縁性を従来の２倍以上にすることもできる。
【００５４】
また、本実施の形態のモータＭをドレンポンプ６に備えることで、ドレン水に電流が漏れ出すのを防ぐことができる。
【００５５】
なお、上記実施の形態では、所定の形状の１枚の絶縁フィルム６０を用いて、コイル６２と芯材６１ｃとの間およびステータ６１とコイル６２との間を絶縁する形態について説明したが、本発明はこれに限定されるものではなく、複数の絶縁フィルムを用いて、当該位置を絶縁する形態であってもよい。
【００５６】
また、上記実施の形態では、コイル６２と芯材６１ｃとの間に加えてステータ本体６１ａとコイル６２との間をも絶縁する形態について説明したが、本発明はこれに限定されるものではなく、ステータ本体６１ａとコイル６２の間を絶縁する絶縁フィルムは省略してもよい。
【００５７】
また、上記実施の形態では、絶縁フィルム６０が平面視で略Ｔ字状を呈している形態について説明したが、本発明はこれに限定されるものではない。図１６（ａ）および図１６（ｂ）は、絶縁フィルムの形状の他の例を説明するための展開図である。たとえば、図１６（ａ）に示されるように、絶縁フィルム６０が平面視で略十字状を呈している形態であってもよい。具体的には、前面部６０ａの四辺から、上面部６０ｂ、第１側面部６０ｅ、第２側面部６０ｆ、底面部６０ｄを延出させる。また、図１６（ｂ）に示されるように、絶縁フィルム６０が平面視で略Ｌ字状を呈している形態であってもよい。具体的には、前面部６０ａの隣り合う２辺から、上面部６０ｂ、第２側面部６０ｆを延出させる。すなわち、第１の巻き付け部Ｗ１の前面部６０ａからの延出方向と第２の巻き付け部Ｗ２の前面部６０ａからの延出方向とが直交するように設けられていれば、巻き付け方向が異なる場合にも、１枚のフィルムで対応することができる。
【図面の簡単な説明】
【００５８】
【図１】空気調和装置の室内機を概略的に説明するための断面図である。
【図２】ドレンポンプを説明するための斜視図である。
【図３】ドレンポンプの展開図である。
【図４】図３のＩＶ−ＩＶ位置におけるドレンポンプの断面の一部である。
【図５】図３のＶ−Ｖ位置におけるドレンポンプの断面の一部である。
【図６】絶縁フィルムの平面図である。
【図７】絶縁フィルムの巻き付け方法を説明するための図であり、絶縁フィルムを折り曲げる前の状態の斜視図である。
【図８】絶縁フィルムの巻き付け方法を説明するための図であり、芯材の表面を一周するように絶縁フィルムを折り曲げた状態の斜視図である。
【図９】絶縁フィルムの巻き付け方法を説明するための図であり、折り曲げた絶縁フィルムに芯材を挿入した状態の斜視図である。
【図１０】絶縁フィルムの巻き付け方法を説明するための図であり、絶縁フィルムが巻き付けられた芯材をコイルの中空部に挿入する状態の斜視図である。
【図１１】絶縁フィルムの巻き付け方法を説明するための図であり、絶縁フィルムが巻き付けられた芯材をコイルの中空部に装着した状態の斜視図である。
【図１２】絶縁フィルムの巻き付け方法を説明するための図であり、絶縁フィルムが巻き付けられた芯材をコイルの中空部に装着した状態で、コイルの表面に絶縁フィルムを巻き付ける状態の斜視図である。
【図１３】絶縁フィルムの巻き付け方法を説明するための図であり、絶縁フィルムが巻き付けられた芯材をコイルの中空部に装着した状態で、コイルの表面に絶縁フィルムを巻き付ける状態の斜視図である。
【図１４】絶縁フィルムが巻き付けられたコイルおよび芯材をステータ本体に装着する状態を説明する斜視図である。
【図１５】絶縁フィルムが巻き付けられたコイルおよび芯材をステータ本体に装着した状態を説明する斜視図である。
【図１６】絶縁フィルムの形状の他の例を説明するための展開図であり、（ａ）は略十字状を呈した絶縁フィルム、（ｂ）は略Ｌ字状を呈した絶縁フィルムを示す。
【符号の説明】
【００５９】
６  ドレンポンプ
６０  絶縁フィルム
６１  ステータ
６１ａ  ステータ本体
６１ｃ  芯材
６２  コイル
６２ａ１  ボビン
６３  回転子
１００  空気調和装置の室内機
Ｍ  モータ
Ｗ１  第１の巻き付け部
Ｗ２  第２の巻き付け部
【図１】
2009268260.tif 000003
【図２】
2009268260.tif 000004
【図３】
2009268260.tif 000005
【図４】
2009268260.tif 000006
【図５】
2009268260.tif 000007
【図６】
2009268260.tif 000008
【図７】
2009268260.tif 000009
【図８】
2009268260.tif 000010
【図９】
2009268260.tif 000011
【図１０】
2009268260.tif 000012
【図１１】
2009268260.tif 000013
【図１２】
2009268260.tif 000014
【図１３】
2009268260.tif 000015
【図１４】
2009268260.tif 000016
【図１５】
2009268260.tif 000017
【図１６】
2009268260.tif 000018